(57)【要約】  ディスペンサ部材を容器に非取外し式に取り付けるための装置を提供する。ブラケット部材が容器の口に係合する栓部分を含む。栓部分はディスペンサ部材の本体に連結されている。締付け部材がブラケット部材と容器の口とに係合する。好ましい方法で、ブラケット部材は、容器に摩擦式に連結されてかつ溶接されたロック部材を含む。
2005508808.tif 000002
【特許請求の範囲】
【請求項１】
ディスペンサを容器に非取外し式に取り付けるための装置であって、
容器の口に係合するように適合されている栓部分を含むブラケット部材であって、栓の部分がディスペンサ本体に連結されているブラケット部材と、
ブラケット部材と容器の口とに係合するように作られて配置された締付け部材と
を含む装置。
【請求項２】
締付け部材が内側および少なくとも１つのフランジ部材を有する、請求項１に記載の装置。
【請求項３】
締付け部材が内側にねじを有する、請求項２に記載の装置。
【請求項４】
ブラケット部材がロック部材から本質的に直角方向に延在する少なくとも１つの延長部材からなるロック部材を有する、請求項３に記載の装置。
【請求項５】
ロック部材が少なくとも１つの開口部を有する、請求項４に記載の装置。
【請求項６】
ロック部材が内側を有し、少なくとも１つのガイド部材を含む、請求項５に記載の装置。
【請求項７】
ロック部材が外側を有し、少なくとも１つの平らな隆起表面を含む、請求項６に記載の装置。
【請求項８】
延長部材が栓部分に連結されている、請求項７に記載の装置。
【請求項９】
分配部材が栓部分に取り付けられている、請求項８に記載の装置。
【請求項１０】
分配部材が放出口と、ハンドル部材と、ハウジング部材とを有する、請求項９に記載の装置。
【請求項１１】
栓部分が分配部材の本体に連結された通路を有する、請求項１０に記載の装置。
【請求項１２】
締付け部材が締めしろ方式で栓部分に取り付けられている、請求項１１に記載の装置。
【請求項１３】
栓部分がボトルの首状部と係合するガスケット部材に係合している、請求項１２に記載の装置。
【請求項１４】
締付け部材がボトルの首状部と係合するために製造され配置されている、請求項１３に記載の装置。
【請求項１５】
ボトルの首状部がロック部材の開口部と係合するために少なくとも１つのロック突出部を含む、請求項１４に記載の装置。
【請求項１６】
ボトルの首状部が少なくとも１つのガイド突出部を含む、請求項１５に記載の装置。
【請求項１７】
ガイド突出部がロック部材のガイド部材と係合する、請求項１６に記載の装置。
【請求項１８】
ボトルの首状部が締付け部材の内側のねじ山とかみ合うためにねじ切りされている、請求項１７に記載の装置。
【請求項１９】
追加の締付け部材をさらに含む、請求項１７に記載の装置。
【請求項２０】
追加の締付け部材の外側が締付け部材の内側と係合する、請求項１９に記載の装置。
【請求項２１】
追加の締付け部材の内側がボトル首状部に非取外し式の方法で係合される、請求項２０に記載の装置。
【請求項２２】
追加の締付け部材の内側が指状係合部分を有する、請求項２１に記載の装置。
【請求項２３】
指状係合部分がボトル首状部の上の溝と係合する、請求項２２に記載の装置。
【請求項２４】
追加の締付け部材の底側が少なくとも１つの歯を含む、請求項２３に記載の装置。
【請求項２５】
歯が締付け部材の内側の底側にある少なくとも１つのくぼみに係合される、請求項２４に記載の装置。
【請求項２６】
ボトルに連結されるように適合されているディスペンサに非取外し式に取り付けるための装置であって、ボトルは、ねじ切りされた首状部と、ボトル首状部にねじ込み可能に取り付けられた締付け部材とを有し、ブラケット部材に取り付けられた締付け部材は栓部分を含み、栓部分はその上側において分配部材に取り付けられ、栓部分は分配部材に連結された少なくとも１つの通路を有し、栓部分はその１つの底側において、ロック部材に連結された少なくとも１つの延長部材に連結され、ロック部材は、ボトル首状部上のロック突出部を受け入れるために少なくとも１つの開口部を有し、ロック部材はさらに、ボトル首状部上の少なくとも１つのガイド突出部に係合するための少なくとも１つのガイド部材を有する、装置。
【請求項２７】
ボトルに連結されるように適合されているディスペンサに非取外し式に取り付けるための装置であって、締付け部材が追加の締付け部材にねじ込み可能に取り付けられ、追加の締付け部材は前記ボトルに取り付けられ、ブラケット部材に取り付けられた締付け部材は栓部分を含み、栓部分はその上側において分配部材に取り付けられ、栓部分は分配部材に連結された少なくとも１つの通路を有し、栓部分はその１つの底側において、ロック部材に連結された少なくとも１つの延長部材に連結され、ロック部材は、ボトル首状部上のロック突出部を受け入れるために少なくとも１つの開口部を有し、ロック部材はさらに、ボトル首状部上の少なくとも１つのガイド突出部に係合するための少なくとも１つのガイド部材を有する、装置。
【発明の詳細な説明】
【技術分野】
【０００１】
本発明は、キャップ装置に関し、特にディスペンサを容器に取り付ける非取外し式に取り付けられた装置に関する。
【背景技術】
【０００２】
ディスペンサは、通常、化学薬品からオーデコロンまで広範囲にわたる使用分野のために、さまざまな方法を介して容器に取り付けられる。一般に、ディスペンサは、容器のネックまたは連結装置に標準的なおねじ、およびめねじ手段を介して取り付けられる。
【０００３】
非取外し式に取り付けられる連結装置を使用する他の多くの製品が市販されているが、これらの製品が取り付けられている方法は、回避または変更して、使用者がディスペンサを取り外してこれに別の製品または化学薬品を入れて再使用できるようにすることができる。
【０００４】
このように、広範囲の製品または化学薬品のために製造または設計されていないディスペンサを、これらの製品または化学薬品と共に使用できることは、ディスペンサにとって必ずしも有利または望ましいものではない。誤った製品と共にディスペンサを使用すると、ディスペンサが正しく作動しないことから、その製品を使用する人または他の人に傷害を与える可能性がある化学薬品が漏れる恐れまたは不適切に分注されることまで、さまざまな問題を引き起こす可能性がある。
【０００５】
ロック機構を使用してディスペンサが容器またはボトルから外れることを防止することがしばしば行われているが、ほとんどの状況では、１つだけ、または個別に働く２つのロックシステムがある。これはある程度の保護をもたらすが、これらのシステムは回避される可能性もあり、これによって使用者が分配装置を誤って使用することもある。
【発明の開示】
【発明が解決しようとする課題】
【０００６】
本発明は、ディスペンサを容器に連結するためのみならず、連結装置を非取外し式で複数のロック機構を使用して取り付け、システム全体と容器の内容物の完全性を保護する追加の特徴も有する。多重ロック機構を同期された方法で使用することによって、使用者はディスペンサを除去することができない。というのは、ディスペンサを連結装置からうまく取り外すためには異なる各ロック機構を同時に取り外さなければならないからである。最終使用者が何とかしてうまく連結装置の除去を完遂した場合、連結装置は壊れているのでディスペンサはもはや使用不可能である。除去中に連結装置が破壊されることにより、ユニットに不適切な溶液を再充てんするなどによって最終使用者がディスペンサを誤って使用するという可能性がなくなる。
【課題を解決するための手段】
【０００７】
本発明は、ディスペンサを容器に非取外し式に取り付けるための連結装置を提供する。この連結装置は、ブラケット部材と、容器の口に係合するように適合されている栓とから構成され、栓の部分はディスペンサに連結されている。本発明はさらに、ブラケット部材と容器の口に係合するように作られて配置された締付け部材をさらに含む。
【０００８】
締付け部材は、少なくとも１つのフランジ部材を有する内側にねじを有する。ブラケット部材は少なくとも１つの延長部材を有し、少なくとも１つの延長部材がロック部材から本質的に直角方向に延在している。ロック部材はまた少なくとも１つの開口部を含み、また少なくとも１つのガイド部材を含む内側を有する。ロック部材はさらに少なくとも１つの平らな隆起表面を有する外側を有する。
【０００９】
ロック部材に連結されている延長部材は、栓部分にも連結され、栓部分はさらに分配部材に連結され、栓部分を通って分配部材を連結する少なくとも１つの通路を有する。分配部材は、放出口と、ハンドル部材と、ハウジング部材とを有する。
【００１０】
締付け部材は、ボトルの首状部と係合するために作られ配置されている。締付け部材はまた栓部分に回転可能に取り付けられ、ボトル首状部への自由な取り付けを可能にする。ボトル首状部は、ロック部材の開口部と係合するための少なくとも１つのロック突出部を含み、ボトル首状部はさらに、ロック部材のガイド部材と係合する少なくとも１つのガイド突出部を含む。ボトル首状部は、締付け部材の内側のねじ山とかみ合うためにねじ切りされている。
【００１１】
上記の特色のすべてを有する連結装置の別の実施形態は、さらに追加の締付け部材を含む。追加の締付け部材は、上述の締付け部材の内側と係合する外側を有する。追加の締付け部材の内側は、ねじ切りされていないボトル首状部と非取外し式の方法で係合される。追加の締付け部材は、少なくとも１つの歯を含む底側を有する。この部材は、締付け部材の内側の底部における少なくとも１つのくぼみと係合している。
【発明を実施するための最良の形態】
【００１２】
図１では、連結装置は全体的に１で示され、ボトル２１と係合する締付け部材３によってボトルに連結されている。ブラケット部材６はロック部材７と完全に係合しており、ロック部材７はまた、開口部９に完全に係合したロック突出部１９によってボトル２１に取り付けられている。延長部材８はロック部材７から延びて、栓部分１４に取り付けられている。栓部分１４は締付け部材３とディスペンサ部材２とに係合し、ディスペンサ部材２は、ハウジング部材１７、放出口部材１５、およびハンドル部材１６から構成されている。
【００１３】
図２に示すように、ボトル首状部２２は、ガイド突出部２０と、ロック突出部１９と、ボトル首状部ねじ２３とを有する。締付け部材３は、締めしろであるが、栓部分１４における隆起部１４ａと回転式に連結するための切込みを提供するフランジ部材４を有する。栓部分１４はガスケット部材３０に連結され、ガスケット部材３０は栓部分１４とボトル首状部２２との間の封止部を提供する。くぼみ２６と、ボトル首状部ねじ２３とかみ合う締付け部材ねじ５も示されている。ブラケット部材６は、締めしろ方式でロック突出部１９と摩擦式に係合する開口部９を有するロック部材７を含む。ロック部材の外側１２には平坦な隆起表面１３があり、ロック部材１２は、セキュリティを高めるためにボトル首状部２２および／または締付け部材３またはボトルキャップに溶接することができる。延長部材８は、ロック部材７と栓部分１４を連結し、栓部分は分配部材２の一部分であってこれに連結されていることが好ましい。分配部材２は、ハンドル部材１６、放出口部材１５、およびハウジング部材１７を有する。好ましいディスペンサ部材２は、本願譲受人に譲渡された、米国特許出願に開示されており、この教示は本明細書に参照によって組み込まれている。
【００１４】
実施形態１Ａは、図２Ａに示すように、ガイド突出部２０とロック突出部１９とを有するボトル首状部２２を含む。追加締付け部材２４は、一方の外側に複数の歯２５を有する。追加締付け部材２４の内側には、ボトル首状部２２の溝２９の中に非取外し式で取り付けられた指状係合部分２７がある。締付け部材３は、フランジ部材４と、追加締付け部材２４の歯２５とかみ合うくぼみ２６と、追加締付け部材２４のねじ２８に取り付けられた締付け部材ねじ５とを有する。ブラケット部材６は、ロック部材７を有し、ロック部材７はその外側１２に開口部９と平坦な隆起表面１３とを有し、ロック部材１２は、セキュリティを高めるためにボトル首状部２２および／または締付け部材３またはボトルキャップに溶接することができる。ロック部材７は、実施形態１において説明したものと同じ方式でボトル２１に取り付けられる。延長部材８は、ロック部材７と栓部分１４とを連結し、栓部分１４はガスケット３０に取り付けられて、ボトル首状部２２と共に安全な封止部を形成する。栓部分はまたディスペンサ部材２に連結されている。ディスペンサ部材２は、図１および２に関連して説明したものと同じである。
【００１５】
図３に、フランジ部材４と締付け部材ねじ５とを有する締付け部材３を示す。図４に締付け部材３のフランジ部材４の底面図を示すが、締付け部材３に完全に係合したボトル首状部２２が図示されている。
【００１６】
図５および６に追加締付け部材２４を示す。これは内部指状係合部分２７と外部歯２５とを図示している。
【００１７】
図７および８はブラケット部材６を示しており、ディスペンサ部材２とボトル２１を連結する栓部分１４とその通路１８を露出する締付け部材３はない。ロック部材７の内側１０はまたガイド部材１１を有し、ガイド部材１１はガイド突出部２０（図２に示す）と係合する。
【００１８】
操作
実施形態１を参照すると、分配部材２、ブラケット部材６、ロック部材７、封止部材１４、および延長部材８がすべて１つのユニットとして組み立てられている。締付け部材３は、栓部分１４の隆起部１４ａに取り付けられ、隆起部１４ａは、前記の締付け部材の完全回転を可能にする方式でフランジ部材４によって提供される逃げ溝と係合している。いったん締付け部材３がボトル首状部２２に連結されてガスケット部材３０が適所にあると、ユニットはボトル首状部２２に接合され、締付け部材のねじ５はボトル首状部のねじ２３と係合する。締付け部材のねじ５はボトル首状部のねじと完全に係合するので、ガイド部材１１はガイド突出部２０と係合してユニットを適切な位置に保持し、ロック部材７は、開口部９がロック突出部１９に係合することを可能にする適切な位置にある。いったん締付け部材３のねじ５とボトル首状部２２のねじ２３が完全に係合され、開口部９とロック突出部１９が完全に係合すると、ユニットは平らな隆起表面１３の上にスポット溶接され、システム全体を確実に保護し、あらゆる不正変更を防止する。
【００１９】
代替実施形態１Ａでは、追加の締付け部材２４がボトル首状部２２に取り付けられ、指状係合部分２７は非取外し式の方法でボトル首状部２２の溝２９と係合する。締付け部材３は追加の締付け部材２４に係合され、これによってユニットを上述のように組み立てることができ、さらにまた追加の締付け部材２４の歯２５を締付け部材３のくぼみ２６と完全に係合することができる。
【００２０】
本明細書では本発明の限られた数の実施形態のみを先の図を参照して説明したが、多くの変形実施形態を実現でき、これらがすべて冒頭の特許請求の範囲に定義されるように本発明の範囲内にあることは理解されよう。
【図面の簡単な説明】
【００２１】
【図１】分配部材を容器の首状部に連結する連結装置の斜視図である。
【図２】図１に示す連結装置の一実施形態を示す分解斜視図である。
【図２Ａ】連結装置の第２実施形態の図２と同様な図である。
【図３】連結装置において使用されている締付け部材の斜視図である。
【図４】締付け装置の底面図である。
【図５】第２実施形態において使用されている追加締付け装置の斜視図である。
【図６】追加締付け装置の底面図である。
【図７】締付け部材のない連結装置の底面図である。
【図８】ガイド部材を示す図７と同様な図である。
【図１】
2005508808.tif 000003
【図２】
2005508808.tif 000004
【図２Ａ】
2005508808.tif 000005
【図３】
2005508808.tif 000006
【図４】
2005508808.tif 000007
【図５】
2005508808.tif 000008
【図６】
2005508808.tif 000009
【図７】
2005508808.tif 000010
【図８】
2005508808.tif 000011
【国際調査報告】
2005508808.tif 000012
2005508808.tif 000013
2005508808.tif 000014